(57)【要約】【課題】元の画像に重ねて任意に追記した追記画像の利用を可能とする。【解決手段】情報管理システム１０では、画像書き込み手段１４を用いて、記憶手段１６に記憶している画像データに基づいた画像を、表示媒体１２の画像表示部１２Ａに書込み、この画像を元の画像として表示する。また、表示媒体では、追記手段１８を用いることにより、画像表示部に、任意の画像を追記することができ、元の画像と追記画像が重ねて表示される。画像読取り手段２０は、この画像表示部の画像を読み込んで、例えば記憶手段に記憶している元の画像の画像データと比較することにより、追記画像の画像データを生成する。これにより、追記画像の再現等の利用が可能となる。【選択図】        図１
2004287826.tif 000002
【特許請求の範囲】
【請求項１】
第１の画像情報に基づいた表示がなされると共に第１の画像情報に基づいた表示に重ねて追記表示の可能な表示媒体の表示情報を読取る表示情報読取り手段と、
前記第１の画像情報を格納して記憶する記憶手段と、
前記表示情報読取り手段によって読取った前記表示情報を第２の画像情報として、前記記憶手段に記憶されている前記第１の画像情報と関連付ける連係手段と、
を含むことを特徴とする情報管理システム。
【請求項２】
前記表示媒体が、前記第１の画像情報を特定可能とする特定情報を担持し、前記記憶手段が前記特定情報に基づいて前記第１の画像情報を格納するときに、前記表示読取り手段が前記表示媒体から前記特定情報を読取る特定情報読取り手段を含むことを特徴とする請求項１に記載の情報管理システム。
【請求項３】
前記特定情報が、前記記憶手段上の前記第１の画像情報の格納位置であることを特徴とする請求項２に記載の情報管理システム。
【請求項４】
前記特定情報が、前記第１の画像情報ごとに付与するＩＤであることを特徴とする請求項２に記載の情報管理システム。
【請求項５】
前記特定情報を、前記第１の画像情報のファイル名としていることを特徴とする請求項２に記載の情報管理システム。
【請求項６】
前記特定情報を、前記第１の画像情報としていることを特徴とする請求項２に記載の情報管理システム。
【請求項７】
前記表示媒体が前記特定情報を書き込むメモリを備えていることを特徴とする請求項２から請求項６の何れか１項に記載の情報管理システム。
【請求項８】
前記特定情報が、前記表示媒体ごとに付与されているＩＤであることを特徴とする請求項２に記載の情報管理システム。
【請求項９】
前記表示情報読取り手段が、前記表示媒体の表示情報を光学的に読み取ることを特徴とする請求項１から請求項８の何れか１項に記載の情報管理システム。
【請求項１０】
前記特定情報が設定されているときに、前記表示情報読取り手段が前記表示媒体の表示情報を読み取るときに、前記特定情報読取り手段が前記特定情報を読み取ることを特徴とする請求項９に記載の情報管理システム。
【請求項１１】
第１の画像情報と前記読取り手段によって読取った前記表示媒体上の表示情報から、追記された表示情報を前記第２の画像情報として抽出する抽出手段を含むことを特徴とする請求項９又は請求項１０に記載の情報管理システム。
【請求項１２】
前記表示媒体から前記第１の画像情報に基づいた表示を消去して、前記表示情報読取り手段によって表示媒体から表示情報を読み取ることを特徴とする請求項９又は請求項１０に記載の情報管理システム。
【請求項１３】
前記表示情報読取り手段が、前記表示媒体に追記されるときに、表示媒体上の追記位置を検知して追記された表示の表示情報を読み取ることを特徴とする請求項１から請求項８の何れかに記載の情報管理システム。
【請求項１４】
前記特定情報が設定されているときに、追記に先立って前記特定情報を読み取ることを特徴とする請求項１３に記載の情報管理システム。
【請求項１５】
前記特定情報が設定されているときに、前記連係手段が、前記第２の画像情報を、前記特定情報に基づいて前記記憶手段に格納することを特徴とする請求項２から請求項１４の何れかに記載の情報管理システム。
【請求項１６】
前記連係手段が、前記第１の画像情報を前記第２の画像情報に置換することを特徴とする請求項１５に記載の情報管理システム。
【請求項１７】
前記特定情報が前記記憶手段上の前記第１の画像情報の格納位置を示すときに、前記連係手段が前記特定情報に基づいて前記第２の画像情報を前記記憶手段に格納することを特徴とする請求項１５に記載の情報管理システム。
【請求項１８】
前記記憶手段に格納される前記第２の画像情報が、前記表示媒体に追記表示された画像情報であることを特徴とする請求項１７に記載の情報管理システム。
【発明の詳細な説明】
【０００１】
【発明の属する技術分野】
本発明は、画像や文字等を表示すると共に繰返し書き換えが可能でかつメモリ性を備えた表示媒体に係り、詳細には表示媒体に表示した表示情報などの情報管理システムに関する。
【０００２】
【従来の技術】
繰返し書換えが可能なシート状の画像表示媒体（以下、表示媒体とする）としては、Ｔｗｉｓｔｉｎｇ  Ｂａｌｌ  Ｄｉｓｐｌａｙ（２色塗分け粒子回転表示）、電気泳動、磁気泳動、サーマルリライタブル媒体、メモリ性を有する液晶などが提案されている。
【０００３】
また、例えば抵抗膜や透明電極マトリックスを用いる方式、超音波振動を利用する方式等によってＬＣＤ、ＥＬパネルなどの表示媒体上に、手書き感覚で画像や文字等を入力し、入力した画像や文字を表示可能となる。このときに、メモリ性表示媒体を用いることにより、表示画像を保存可能とする提案がなされている（例えば、特許文献１参照。）。
【０００４】
一方、表示媒体には、着色粒子を使用して表示すると共に、表示内容の書換えが可能で繰返して使用可能であり、かつ、メモリ性を備えたものとして所謂電子ペーパーなどが提案されている。このような電子ペーパーは、表示画像を保持するための駆動力が不要で、かつ、携帯性に優れており、極めて高い利便性を備えている。
【０００５】
ところで、このような表示媒体を用いるときに、元の画像に重ねて新たな画像を追記する提案がなされている。例えば、液晶表示媒体を用いた表示システムには、液晶表示媒体に第１の画像を書き込む第１のデータ書き込み装置と、液晶表示媒体に保持された第１のデータを読取るデータ読取り装置に加えて、データ読取り装置によって読取った第１のデータに基づいた第２のデータを液晶表示媒体に書き込む第２のデータ書き込み装置を設けることにより液晶表示媒体に追記する提案がなされている（例えば、特許文献２参照。）。
【０００６】
また、所謂電子ペーパーなどの表示媒体においても、例えばペン形状等の書き込み手段を用いて、画像を形成する提案がなされており、このような書き込み手段を用いることにより、元の画像や文字等に重ねて、新たな画像や文字等を追記することが可能となる（例えば、特許文献３参照。）。
【０００７】
【特許文献１】
特開平１−９２８２６号公報
【特許文献２】
特開２００２−４２０７１号公報
【特許文献３】
特開２００２−１４３８０号公報
【０００８】
【発明が解決しようとする課題】
しかしながら、メモリ性を備えた表示媒体では、追記した画像を元の画像と共に表示しておくことができるが、追記した画像を画像データなどの電子情報として保存することができなく、表示を消すことにより追記した画像が消滅し、追記画像の再現が困難であり、また、追記した画像を利用することができないという問題が生じている。
【０００９】
本発明は上記事実に鑑みてなされたものであり、メモリ性を備えている表示媒体に書き込んだ文字や画像等を保存して有効に利用可能とする情報管理システムを提案することを目的とする。
【００１０】
【課題を解決するための手段】
上記目的を達成するために本発明は、第１の画像情報に基づいた表示がなされると共に第１の画像情報に基づいた表示に重ねて追記表示の可能な表示媒体の表示情報を読取る表示情報読取り手段と、前記第１の画像情報を格納して記憶する記憶手段と、前記表示情報読取り手段によって読取った前記表示情報を第２の画像情報として、前記記憶手段に記憶されている前記第１の画像情報と関連付ける連係手段と、を含むことを特徴とする。
【００１１】
この発明によれば、表示媒体に第１の画像情報に基づいた表示がなされているときに、この表示に新たな画像や文字などを追記して表示する。このときに、第１の画像情報は記憶手段に格納している。
【００１２】
表示情報読取り手段は、表示媒体の表示を画像データなどの電子情報として読取る。
【００１３】
連係手段は、表示情報読取り手段によって読取った表示情報から第２の画像情報を生成し、第１の画像情報と第２の画像情報を関連付ける。
【００１４】
第２の画像情報には、少なくとも追記された表示の表示情報が含まれているので、この第２の画像情報と第１の画像情報を関連付けておくことにより、表示媒体に追記した情報の利用が可能となる。
【００１５】
このような本発明では、前記表示媒体が、前記第１の画像情報を特定可能とする特定情報を担持し、前記記憶手段が前記特定情報に基づいて前記第１の画像情報を格納するときに、前記表示読取り手段が前記表示媒体から前記特定情報を読取る特定情報読取り手段を含むことを特徴とする。
【００１６】
この発明によれば、表示媒体の表示と記憶手段に格納している第１の画像情報を関連付ける特定情報を、表示媒体に担持させている。
【００１７】
これにより、表示媒体から特定情報を読み取ることにより、第２の画像情報に対する第１の画像情報の確実な特定が可能となる。
【００１８】
このような本発明では、前記特定情報が、前記記憶手段上の前記第１の画像情報の格納位置であっても良く、前記特定情報が、前記第１の画像情報ごとに付与するＩＤであっても良い。また、前記特定情報を、前記第１の画像情報のファイル名としても良く、前記特定情報を、前記第１の画像情報としても良い。
【００１９】
このような電子情報として特定情報を表示媒体に担持させるときには、前記表示媒体が前記特定情報を書き込むメモリを備えているものであれば良い。
【００２０】
また、発明では、前記特定情報が、前記表示媒体ごとに付与されているＩＤであっても良く、さらに、これらに限らず、記憶手段に格納した第１の画像情報と、表示媒体の表示を特定可能であれば、任意の情報を用いることができる。
【００２１】
一方、本発明では、前記表示情報読取り手段が、前記表示媒体の表示情報を光学的に読み取ることを特徴とする。すなわち、表示情報読取り手段としては、スキャナなどの各種の画像読取り手段を用いることができる。
【００２２】
このような表示情報読取り手段に対しては、前記特定情報が設定されているときに、前記表示情報読取り手段が前記表示媒体の表示情報を読み取るときに、前記特定情報読取り手段が前記特定情報を読み取るものであれば良い。
【００２３】
また、本発明では、第１の画像情報と前記読取り手段によって読取った前記表示媒体上の表示情報から、追記された表示情報を前記第２の画像情報として抽出する抽出手段を含むことができ、また、前記表示媒体から前記第１の画像情報に基づいた表示を消去して、前記表示情報読取り手段によって表示媒体から表示情報を読み取るものであっても良い。
【００２４】
これにより、表示媒体の表示から、第２の画像情報として、第１の画像情報に基づいた表示がなされた後に、表示媒体に追記された表示のみを簡単に抽出して、第２の画像情報ととすることができる。
【００２５】
また、本発明では、前記表示情報読取り手段が、前記表示媒体に追記されるときに、表示媒体上の追記位置を検知して追記された表示の表示情報を読み取るものであっても良い。
【００２６】
この発明によれば、表示情報読取り手段として例えばデジタイザ等を用い、表示媒体に追記を行うときに、表示情報読取り手段が追記される表示に応じた表示情報を読取る。
【００２７】
これにより、表示媒体に追記されるときに、その表示をリアルタイムで読取って、追記された表示に応じた第２の画像情報を得ることができる。
【００２８】
このような表示情報読取り手段を用いるときには、前記特定情報が設定されているときに、追記に先立って前記特定情報を読み取ることが好ましい。また、個のときの表示情報読取り手段としては、感圧式、磁気式などの任意の方法によって追記される表示に応じた電気信号（電子情報）を得る任意の構成を適用することができる。
【００２９】
一方、本発明においては、前記特定情報が設定されているときに、前記連係手段が、前記第２の画像情報を、前記特定情報に基づいて前記記憶手段に格納する方法を用いることができる。
【００３０】
このときには、前記連係手段が、前記第１の画像情報を前記第２の画像情報に置換するものであっても良く、前記特定情報が前記記憶手段上の前記第１の画像情報の格納位置を示すときに、前記連係手段が前記特定情報に基づいて前記第２の画像情報を前記記憶手段に格納するものであっても良い。
【００３１】
例えば、第２の画像情報に、第１の画像情報を含むときには、第１の画像情報を第１の画像情報と置き換えてもよく、また、第１の画像情報と第２の画像情報を合わせて格納するものであってもよい。
【００３２】
さらに、前記記憶手段に格納される前記第２の画像情報が、前記表示媒体に追記表示された画像情報であっても良く、このときには、第１の画像情報が消えることがないように、第１の画像情報と第２の画像情報を合わせて格納することが好ましい。
【００３３】
すなわち、第２の画像情報を第１の画像情報のファイル名を用いて保存しても良く、第１の画像情報と第２の画像情報を、同じフォルダやＵＲＬ、関連したフォルダやＵＲＬなどに格納するなど、任意の方法及び構成で格納するものであって良い。
【００３４】
【発明の実施の形態】
以下に、図面を参照しながら本発明の実施の形態を説明する。図１には、本発明を適用した情報管理システム１０の概略構成説明する。
【００３５】
情報管理システム１０は、表示媒体１２を備えている。この表示媒体としては、例えば、対で配置した少なくとも一方が光透過性の基板間に、着色粒子を封入し、この着色粒子を透明基板側へ移動することにより形成される画像によって画像を表示する画像表示部１２Ａが設けられた所謂電子ペーパーを適用することが好ましい。このような電子ペーパーは、着色粒子が光透過性基板に吸着させることにより、駆動回路を用いることなく表示画像を保持するメモリ性を備えており、これにより、極めて薄いシート状に形成することができる。
【００３６】
なお、本発明の表示媒体としては、これに限らず、表示画像を保持するメモリ性を備えたものであれば、各種の記録紙を含む任意の構成の画像表示媒体（表示媒体）を適用することができる。
【００３７】
情報管理システム１０には、電子情報である画像データ等に基づいて、この表示媒体１２に画像を書き込む画像書き込み手段１４を備えていることが好ましい。また、情報管理システム１０は、表示媒体１２に書き込む画像データを、第１の画像情報として記憶する記憶手段１６を備えている。
【００３８】
すなわち、情報管理システム１０では、記憶手段１６に記憶している画像データに基づいて、表示媒体１２に画像を書き込むことにより、画像データに応じた画像を表示媒体１２に表示する。なお、このときの画像は、文字や記号等を含むものである。
【００３９】
また、表示媒体１２は、表示媒体１２の画像書き込み方式に基づいて用意されている書き込みペン等の追記手段１８を用いて画像を書き込むことができる。すなわち、表示媒体１２は、追記手段１８を用いることにより、電子情報化されていない画像を書き込んで表示することができるようになっている。このような追記手段１８としては、携帯性を有するものであることが好ましい。
【００４０】
なお、表示媒体１２としては、画像表示部１２Ａに、印刷等によって所定の画像が形成され、この画像に重ねて追記手段１８によって画像を書き込むのもであっても良い。すなわち、画像書き込み手段１４としては、印刷装置を用いることができ、このときには、記憶手段１６に、その画像データが記憶される。
【００４１】
一方、情報管理システム１０は、表示情報読取り手段として画像読取り手段２０を含む。この画像読取り手段２０は、表示媒体１２に表示されている画像を読み取る。このとき、画像読取り手段２０では、元の画像と共に追記手段１８によって書き込まれた（追記された）電子情報化されていない画像を含めて読み取りものであっても良く、また、追記された画像を読み取り可能となっているものであっても良く、少なくとも電子情報化されていない画像を抽出して、この画像の画像データを生成するものであれば任意の構成を適用することができる。
【００４２】
情報管理システム１０では、画像読取り手段２０によって読取った画像データを記憶手段１６に格納して記憶する。
【００４３】
一方、表示媒体１２は、画像書き込み手段１４によって書き込まれた画像を特定する特定情報を担持している。記憶手段１６には、この特定情報に基づいて画像書き込み手段１４によって書き込んだ画像データを記憶する。また、画像読取り手段２０は、表示媒体１２から、画像データと共に、この特定情報を読み込む。
【００４４】
これにより、記憶手段１６には、画像読取り手段２０によって表示媒体１２に書き込んだ画像（元の画像）の画像データと、画像読取り手段２０によって読取った追記画像の画像データを対比させて記憶することができる。
【００４５】
なお、このように構成する情報管理システム１０は、画像書き込み手段１４と画像読取り手段２０を一体にして、記憶手段１６からの画像データの入出力手段として形成したものであっても良い。
【００４６】
以下に実施の形態として具体例を説明する。
〔第１の実施の形態〕
図２には、第１の実施の形態に適用した情報管理システム３０の概略構成を示している。この情報管理システム３０には、記憶手段１６として記憶装置３２が設けられており、画像書き込み手段１４として画像書き込み装置３４が設けられている。この画像書き込み装置３４としては、画像データに基づいて表示媒体１２の画像表示部１２Ａに画像を書き込むことができるものであれば任意の構成を適用することができる。
【００４７】
また、情報管理システム３０には、画像読取り手段２０として、例えばシートフィード型、フラットベット型（センサ走査型）などの一次元スキャナ（以下、「スキャナ３６」とする）等を用いることができる。
【００４８】
これにより、情報管理システム３０では、記憶装置３２に記憶されている画像データに基づいた画像を表示媒体１２として適用した表示媒体３８の画像表示部３８Ａに書き込んで表示させることができると共に、画像表示媒体３８に書き込まれている画像をスキャナ３６によって読み込んで、その画像データを記憶装置３２に格納することができる。
【００４９】
一方、表示媒体３８には、メモリ４０及びコネクタ４２が設けられている。このメモリ４０としては、不揮発性メモリであることが好ましく、これにより、無電力でデータの保存が可能となっている。
【００５０】
画像書き込み装置３４には、メモリライタ４４及びコネクタ４６が設けられており、表示媒体３８を画像書き込み装置３４に装着して、コネクタ４２とコネクタ４６を接続することにより、メモリ４０に所定の情報を書き込むことができる。
【００５１】
なお、画像書き込み装置３４では、例えばコネクタ４６に表示媒体３８のコネクタ４２が接続されることにより、この接続を介して画像データを表示媒体３８に出力して、表示媒体１２に画像を書き込むものであっても良く、また、表意Ｊ媒体３８として対で配置した少なくとも一方が光透過性の基板間に、着色粒子を封入し、この着色粒子を透明基板側へ移動することにより画像を形成するものであれば、表示媒体３８が装着されることにより、画像データに応じて着色粒子を駆動して、画像表示部３８Ａに画像を表示させるものであってもよい。
【００５２】
すなわち、画像書き込み装置３４は、表示媒体３８に応じた書き込み手段が構成されたものであれば良い。
【００５３】
スキャナ３６には、メモリ４８及びコネクタ５０が設けられており、画像表示媒体３８の画像をスキャナ３６によって読み込むときに、コネクタ４２とコネクタ５０を接続することにより、メモリ４０に記憶されているデータが、スキャナ３６に読み込まれてメモリ４８に格納される。また、スキャナ３６は、コネクタ５０に表示媒体３８のコネクタ４２が接続したことを検知して、表示媒体３８の画像表示部３８Ａに表示された画像の読み込みを行う。
【００５４】
なお、情報管理システム３０では、画像書き込み装置３４とスキャナ３６を別体としているが、画像書き込み機能と画像読み取り機能を一体化して、メモリ４４とメモリ４８及びコネクタ４６とコネクタ５０を共通化しても良い。
【００５５】
情報管理システム３０では、表示媒体３８に画像を書き込むときに、書き込んだ画像を特定可能な情報（デジタル情報）をメモリ４０に書き込み、メモリ４０に書き込まれた情報から、画像書き込み装置３４によって画像表示媒体３８に書き込んだ画像（元の画像）を特定可能となるようにしている。
【００５６】
このデジタル情報としては、元の画像の画像データそのものであっても良く、また、画像データのファイル名、画像データのファイルが格納されている記憶装置３２内のフォルダ名であっても良く、また、記憶装置３２上で該当する画像データを格納している位置や場所を示すＵＲＬやサーバー名などの各種の情報を用いることができる。さらに、このデジタル情報としては、画像データや表示媒体３８毎に設定している電子ＩＤであっても良い。
【００５７】
記憶装置３２では、メモリ４０に記憶するデジタル情報と対比させて画像データを格納管理している。
【００５８】
図３には、元の画像が書き込まれた表示媒体３８に追記したときに、追記画像の読取り処理の流れを示している。
【００５９】
情報管理システム３０では、画像などが表示媒体３８に追記される（ステップ１００）ことにより、この画像が画像表示部３８Ａに表示される（ステップ１０２）。
【００６０】
これにより、表示媒体３８の画像表示部３８Ａには、元の画像に重ねて追記画像が表示される。
【００６１】
表示媒体３８に表示している追記画像を読み込むときには、表示媒体３８をスキャナ３６に装着する。これにより、スキャナ３６は、表示媒体３８の画像表示部３８Ａに表示されている画像（元の画像と追記画像）を読み取る（ステップ１０４）。
【００６２】
これと共に、スキャナ３６は、画像表示媒体３８のメモリ４０に記憶されているデジタル情報を読み込み、元の画像の画像データを特定し、この画像データを記憶装置３２から読み込んでメモリ４８に格納する。なお、スキャナ３６は、コネクタ５０に表示媒体３８のコネクタ４２が接続されることにより、メモリ４０に記憶されているデジタル情報の読み取りを行うと共に、画像表示部３８Ａの表示画像の読み込みを行う。
【００６３】
この後に、スキャナ３６では、元の画像データと読み込んだ画像データを比較する（ステップ１０６）ことにより、追記画像の画像データを生成する（ステップ１０８）。
【００６４】
この追記画像の画像データをメモリ４０に記憶しているデジタル情報を基に記憶装置３２へ出力することにより、記憶装置３２では、元の画像の画像データと共に、追記画像の画像データを格納する（ステップ１１０）。なお、ここでは、追記画像の画像データのみを第２の画像情報として記憶装置３２へ出力するようにしているが、メモリ４０に記憶していたデジタル情報も合わせて記憶装置３２へ転送するようにしても良い。
【００６５】
これにより、記憶装置３２上で、元の画像の画像データと追記画像の画像データを適切に管理することができる。また、元の画像と追記画像を重ねた新たな画像を、画像書き込み装置３４によって表示媒体３８の画像表示部３８Ａに書き込むことも可能であり、追記画像のみを表示媒体３８の画像表示部３８Ａに書き込むことも可能となる。
【００６６】
一方、画像書き込み装置３４において、表示媒体３８に書き込んだ元の画像の消去が可能であるときには、図４に示すように、表示媒体３８の画像表示部３８Ａから元の画像のみを消去（ステップ１２０）した後に、スキャナ３６を用いた画像読み込みを行い（ステップ１０４）、読み込んだ画像データを追記画像の画像データとして出力する（ステップ１２２）。
【００６７】
これにより、スキャナ３６で追記画像の画像データを生成するときに、元の画像データと読み込んだ画像データを比較する作業が不要となる。
【００６８】
なお、追記画像の画像データの生成は、これに限らず、記憶装置３２上で行うものであっても良く、また、記憶装置３２とスキャナ３６の間に画像処理装置を設けて、この画像処理装置上で行うようにしても良い。
【００６９】
〔第２の実施の形態〕
図５には、第２の実施の形態で、スキャナ３６に換えて画像読取り手段２０として適用したデジタイザ６０の概略を示している。
【００７０】
このデジタイザ６０に表示媒体３８を装着するときには、入力面６２上に、画像表示部３８Ａが対向するように表示媒体３８を位置決めして載置する。
【００７１】
また、デジタイザ６０には、メモリ４８及びコネクタ５０が設けられており、このコネクタ５０に、表示媒体３８のコネクタ４２を接続する。
【００７２】
このようなデジタイザ６０を用いた追記画像の読取りは、表示媒体３８をデジタイザ６０に装着して、追記画像を書き込むときに、この追記画像の書き込みと並行して行われる。
【００７３】
図６に示すように、書き込みペン等を用いて追記画像が表示媒体３８の画像表示面３８Ａに書き込まれると（ステップ１３０）、その画像が画像表示部３８Ａに表示されると共に、例えば書き込みペンの軌跡が入力面６２で検出され、この検出結果に応じたデータが画像データとして読み込まれる（ステップ１３２）。
【００７４】
これにより、画像の追記が終了することにより（ステップ１３４で肯定判定）、追記画像の画像データが生成される（ステップ１３６）、この画像データが記憶装置３２に格納される（ステップ１３８）。なお、メモリ４０に記憶されているデジタル情報は、コネクタ５０にコネクタ４２を接続したときに読み込まれ、また、デジタイザ６０では、コネクタ５０にコネクタ４２が接続されることにより、追記画像の検知を開始する。
【００７５】
通常、感圧式などのデジタイザ６０は、入力面６２が圧力等を受けることにより、その位置が検出されて、その位置が図示しないモニタ上に形成される。すなわち、入力した画像をそのまま、入力面６２上に表示するものではなく、位置データを出力し、別に設けているモニタなどその画像が表示されるものである。
【００７６】
これに対して、画像表示媒体３８を用いることにより、画像表示媒体３８に追記画像を形成及び表示しながら、その追記画像の画像データの読み込みを行うことができる。したがって、追記画像の読取りが極めて容易となる。
【００７７】
このよう表示情報読取り手段としては、感圧式に限らず、磁気式、電気式などの書き込みペンの入力位置に応じた電気信号を出力可能としたものであれば任意の構成を適用することができる。
【００７８】
なお、以上説明した本実施の形態は、本発明の構成を限定するものではない。例えば、本実施の形態では、画像表示媒体３８に設けたコネクタ４２と、スキャナ３６またはデジタイザ６０に設けたコネクタ５０を接続することにより、メモリ４０に格納しているデジタル情報を読み込むようにしたが、これに限らず、ＲＦＩＤ（Ｒａｄｉｏ  Ｆｒｅｑｕｅｎｃｙ−Ｉｄｅｎｔｉｆｉｃａｔｉｏｎ：電波方式認識）などを用いた無線方式で、表示媒体３８とスキャナ３６やデジタイザ６０などの画像読取り手段２０（表示情報読み取り手段）及び画像書き込み装置３４などの画像書き込み手段１４とで、データ転送を行うものであっても良い。
【００７９】
これにより、表示媒体３８を、画像書き込み装置３４やスキャナ３６、デジタイザ６０と直接接続することなく、表示媒体３８に形成している元の画像を特定することができ、より好ましい。
【００８０】
また、メモリ４０を用いずに、表示媒体３８のそれぞれにバーコードなどで、表示媒体３８を特定するＩＤなどの特定情報を設けると共に、画像書き込み装置３４及びスキャナ３６、デジタイザ６０にバーコードリーダを設けて、表示媒体３８に形成する元の画像が特定可能となるようにしても良い。
【００８１】
さらに、画像表示媒体１２、３８に形成する元の画像の特定方法は、画像データ毎にＩＤを設定しても良く、また、これらに限らず、記憶手段に格納する画像データなどの第１の画像情報と表示媒体上の表示を特定できるものであれば、任意の方法を用いることができる。
【００８２】
【発明の効果】
以上説明したように本発明によれば、第１の画像情報に基づいた画像に重ねて追記した画像などが表示された表示媒体上の表示画像読み取って第２の画像情報を表示し、この第２の画像情報を第１の画像情報に関連付ける。これにより、任意に形成された追記画像の再現等が可能となるという優れた効果が得られる。
【図面の簡単な説明】
【図１】本発明に適用される情報管理システムの概略図である。
【図２】第１の実施の形態に係る情報管理システムの概略図である。
【図３】第１の実施の形態における追記と追記画像のデータ生成の概略を示す流れ図である。
【図４】追記と追記画像のデータ生成の他の一例を示す流れ図である。
【図５】第２の実施の形態に係るデジタイザの概略構成図である。
【図６】第２の実施の形態における追記と追記画像のデータ生成の概略を示す流れ図である。
【符号の説明】
１０、３０    情報管理システム
１２、３８    表示媒体
１２Ａ、３８Ａ    画像表示部
１４    画像書き込み手段
１６    記憶手段
１８    追記手段
２０    画像読取り手段（表示情報読取り手段）
３２    記憶装置（記憶手段）
３４    画像書き込み装置（画像書き込み手段）
３６    スキャナ（表示情報読取り手段、抽出手段）
６０    デジタイザ（表意Ｊ情報読取り手段）
【図１】
2004287826.tif 000003
【図２】
2004287826.tif 000004
【図３】
2004287826.tif 000005
【図４】
2004287826.tif 000006
【図５】
2004287826.tif 000007
【図６】
2004287826.tif 000008